(57)【要約】【課題】カバー部からの枕部の紛失を防止することができるマッサージ機を提供する。【解決手段】背もたれ部１７の前面には背もたれ部１７を覆うカバー部２０が設けられるとともに、そのカバー部２０の前面上側には使用者の頭部を支持可能な枕部２１が設けられる。そして、カバー部２０前面側に枕部２１を配置する使用状態とカバー部２０後面側で背もたれ部１７の上端に枕部２１を被せて配置する非使用状態とに変更可能に構成される。また、枕部２１及びカバー部２０の対向面である枕部２１の後面及びカバー部２０の前面には、二部材を着脱可能とする留め具としての面ファスナ２３，２４が設けられる。【選択図】図１
2010172476.tif 000002
【特許請求の範囲】
【請求項１】
使用者が着座可能な座部と、該座部の後部に設けられる背もたれ部とを備え、
前記背もたれ部に組み付けられるマッサージ機構を作動させて着座した前記使用者に対しマッサージを行うマッサージ機であって、
前記背もたれ部の前面には前記背もたれ部を覆うカバー部が設けられるとともに、該カバー部の前面上側には前記使用者の頭部を支持可能な枕部が設けられるものであり、
前記カバー部の上端と前記枕部の上端とが固定され、前記カバー部の前面側に前記枕部を配置する使用状態と前記カバー部の後面側に前記枕部を配置する非使用状態とに変更可能に構成されたことを特徴とするマッサージ機。
【請求項２】
請求項１に記載のマッサージ機において、
前記枕部及び前記カバー部の対向面には、二部材を着脱可能とする留め具が設けられたことを特徴とするマッサージ機。
【請求項３】
請求項２に記載のマッサージ機において、
前記留め具は、面ファスナにて構成されたことを特徴とするマッサージ機。
【請求項４】
請求項２又は３に記載のマッサージ機において、
前記枕部は、前記背もたれ部の長手方向に位置調整が可能に構成されたことを特徴とするマッサージ機。
【請求項５】
請求項２〜４のいずれか一項に記載のマッサージ機において、
前記枕部は、前記背もたれ部の幅方向に位置ずれを許容可能に構成されたことを特徴とするマッサージ機。
【請求項６】
請求項１〜５のいずれか一項に記載のマッサージ機において、
前記カバー部及び枕部の少なくとも一方の対向面が他方の対向面に対して摩擦抵抗が大きくなるように構成されたことを特徴とするマッサージ機。
【請求項７】
請求項１〜６のいずれか一項に記載のマッサージ機において、
前記カバー部には前記マッサージ機構の施療子の作動範囲に対応した開口部が設けられ、その開口部の下端の位置若しくはその下端よりも下側の位置に前記枕部の下端が配置可能に構成されたことを特徴とするマッサージ機。
【発明の詳細な説明】
【技術分野】
【０００１】
本発明は、使用者の背中を施療するマッサージ機に関するものである。
【背景技術】
【０００２】
従来、座部の後部に設けられる背もたれ部にマッサージ機構が設けられ、そのマッサージ機構にて使用者の背中を施療するマッサージ機が例えば特許文献１に開示されている。
特許文献１のマッサージ機では、背もたれ部内に施療子を有するマッサージ機構が設けられており、背もたれ部の背もたれ部の前面側（使用者と接する側）にはクッション性を有したカバー部が設けられている。
【先行技術文献】
【特許文献】
【０００３】
【特許文献１】特開２０００−３５０７５８号公報
【発明の概要】
【発明が解決しようとする課題】
【０００４】
ところで、上記のマッサージ機では、カバー部の上部側に枕部を収容可能な枕収納部が設けられている。つまり、カバー部と枕部が別体であり、取り外し可能となっている。そのため、枕部を取り外すことで、枕部を紛失する虞があった。
【０００５】
本発明は、上記課題を解決するためになされたものであって、その目的は、カバー部からの枕部の紛失を防止できるマッサージ機を提供することにある。
【課題を解決するための手段】
【０００６】
上記課題を解決するために、請求項１に記載の発明は、使用者が着座可能な座部と、該座部の後部に設けられる背もたれ部とを備え、前記背もたれ部に組み付けられるマッサージ機構を作動させて着座した前記使用者に対しマッサージを行うマッサージ機であって、前記背もたれ部の前面には前記背もたれ部を覆うカバー部が設けられるとともに、該カバー部の前面上側には前記使用者の頭部を支持可能な枕部が設けられるものであり、前記カバー部の上端と前記枕部の上端とが固定され、前記カバー部の前面側に前記枕部を配置する使用状態と前記カバー部の後面側に前記枕部を配置する非使用状態とに変更可能に構成されたことをその要旨とする。
【０００７】
この発明では、背もたれ部の前面には背もたれ部を覆うカバー部が設けられるとともに、そのカバー部の前面上側には使用者の頭部を支持可能な枕部が設けられる。このように、カバー部及び枕部がそれらの上端で互いに固定されることで、カバー部からの枕部の紛失を防止することができる。そして、カバー部の前面側に枕部を配置する使用状態とカバー部の後面側に枕部を配置する非使用状態とに変更可能に構成されるため、枕部の使用する場合と使用しない場合とを比較的容易に変更することができる。
【０００８】
請求項２に記載の発明は、請求項１に記載のマッサージ機において、前記枕部及び前記カバー部の対向面には、二部材を着脱可能とする留め具が設けられたことをその要旨とする。
【０００９】
この発明では、枕部及びカバー部の対向面には、二部材を着脱可能とする留め具が設けられる。このように、枕部及びカバー部を留め具にて着脱できるため、使用時には枕部の位置をより安定して使用することができる。
【００１０】
請求項３に記載の発明は、請求項２に記載のマッサージ機において、前記留め具は、面ファスナにて構成されたことをその要旨とする。
この発明では、留め具を面ファスナにて簡易に構成でき、また枕部及びカバー部の着脱を容易とすることができる。
【００１１】
請求項４に記載の発明は、請求項２又は３に記載のマッサージ機において、前記枕部は、前記背もたれ部の長手方向に位置調整が可能に構成されたことをその要旨とする。
この発明では、枕部は、背もたれ部の長手方向に位置調整が可能に構成される。つまり、背もたれ部の長手方向である使用者の上下方向に枕部が位置調整できるため、使用者の体格（座高）に合わせた枕部の位置決めを行うことができる。特に、留め具として面ファスナを使用した場合では、枕部及びカバー部に設けられる面ファスナの一方を背もたれ部の長手方向に長く構成することで、その長く構成した面ファスナの任意の位置で枕部とカバー部とを取り付けることが可能となり、簡易な構成にて枕部の上下方向の位置（高さ）調整を容易に行うことができる。
【００１２】
請求項５に記載の発明は、請求項１〜４のいずれか一項に記載のマッサージ機において、前記枕部は、前記背もたれ部の幅方向に位置ずれを許容可能に構成されたことをその要旨とする。
【００１３】
この発明では、枕部は、背もたれ部の幅方向に位置ずれを許容可能に構成される。このため、背もたれ部の幅方向である使用者の左右方向にシビアな位置調整をしなくても枕部を使用することができる。特に、留め具として面ファスナを使用した場合では、枕部及びカバー部に設けられる面ファスナの一方を背もたれ部の幅方向に長く構成することで、その長く構成した面ファスナの任意の位置で枕部とカバー部とを取り付けることが可能となり、簡易な構成にてシビアな位置調整をしなくても枕部を使用することができる。
【００１４】
請求項６に記載の発明は、請求項１〜５のいずれか一項に記載のマッサージ機において、前記カバー部及び枕部の少なくとも一方の対向面が他方の対向面に対して摩擦抵抗が大きくなるように構成されたことをその要旨とする。
【００１５】
この発明では、カバー部及び枕部の少なくとも一方の対向面が他方の対向面に対して摩擦抵抗が大きくなるように構成されるため、対向面間で摩擦抵抗が生じてカバー部からの枕部の位置ずれを抑制することができる。これにより、使用時には枕部の位置をより安定して使用することができる。特に、枕部の後面の摩擦抵抗が大きくなるように構成すれば、カバー部前面側は特に摩擦抵抗が大きくなるような加工及び材質の使用を避けることができるため、カバー部前面の外観品位を維持・向上させることが可能となる。
【００１６】
請求項７に記載の発明は、請求項１〜６のいずれか一項に記載のマッサージ機において、前記カバー部には前記マッサージ機構の施療子の作動範囲に対応した開口部が設けられ、その開口部の下端の位置若しくはその下端よりも下側の位置に前記枕部の下端が配置可能に構成されたことをその要旨とする。
【００１７】
この発明では、カバー部には前記マッサージ機構の施療子の作動範囲に対応した開口部が設けられ、その開口部の下端の位置若しくはその下端よりも下側の位置に枕部の下端が配置可能に構成される。つまり、カバー部に施療子を貫通可能な開口部を設けることで、揉みや擦り、叩き等の施療子による直接的なマッサージを付与することが可能となり、マッサージ機構不使用時において、枕部にてカバー部の開口部を塞ぐ（覆う）ことでその開口部に体が落ち込むのを防止することが可能となる。また、開口部を隠すことで本装置としての外観品位を維持・向上させることが可能となる。
【発明の効果】
【００１８】
本発明によれば、カバー部からの枕部の紛失を防止することができるマッサージ機を提供することができる。
【図面の簡単な説明】
【００１９】
【図１】本実施形態におけるマッサージ機の概略構成図である。
【図２】同上におけるカバー部及び枕部の斜視図である。
【図３】（ａ）（ｂ）は、同上におけるカバー部及び枕部の留め具について説明するための説明図である。
【発明を実施するための形態】
【００２０】
以下、本発明を具体化した一実施形態を図面に従って説明する。
図１には、本実施形態のマッサージ機１０の概略構成を示す。本実施形態のマッサージ機１０には、脚部１１が床面に載置されるとともに、その脚部１１にはマッサージ機１０の幅方向両端にそれぞれ配置された側壁１２が支持固定されている。この側壁１２の上面における前後両端部には、上方に延びる支持部１３がそれぞれ固定されるとともに、この支持部１３には使用者の腕や肘等を置くためのアーチ状の肘掛け１４が掛け渡されて固定されている。また、左右の側壁１２間には使用者が着座可能な座部１５が固定されるとともに、その座部１５の前方下部には使用者の足乗せのためのオットマン１６が設けられており、座部１５の後部には、着座した使用者が背中をもたれ掛けさせるための背もたれ部１７が傾動可能に設けられている。
【００２１】
背もたれ部１７は、前面が開口された硬質樹脂材料からなる図示しない本体ケース内に、背もたれ部１７の上下方向に沿って図示しないガイドレールが設けられ、このガイドレールに沿って上下方向にマッサージ機構１８が組み付けられている。このマッサージ機構１８には、図示しない各種駆動モータが備えられており、これら各種駆動モータの駆動によってマッサージ機構１８の上下動や、該マッサージ機構１８に備えられる一対の施療子１８ａによる所定の施療動作が行われるようになっている。
【００２２】
また、背もたれ部１７の前面には、図１及び図２に示すように、その前面の大部分を覆うカバー部２０と、カバー部２０の前面に設けられる枕部２１とが着脱可能に設けられている。
【００２３】
カバー部２０は、その上端には例えば線ファスナ２２を備え、この線ファスナ２２と背もたれ部１７の上端に設けられた線ファスナ１７ａとを接合することで取り付け、線ファスナ２２，１７ａ同士の離合で取り外しが可能となっている。
【００２４】
また、カバー部２０は、前記マッサージ機構１８の施療子１８ａの可動範囲（動作範囲）となる位置に、開口部２０ａが形成され、施療子１８ａがカバー部２０の開口部２０ａから突出可能に構成されている。また、カバー部２０の前面側の両側部及び上部側にはクッション部材が内包されたクッション部２０ｂが設けられており、クッション性を高めて使用者が快適に本装置１０を利用できるようになっている。
【００２５】
また、カバー部２０は、その上端側が枕部２１の上端側と例えば縫製されて一体的に構成されている。そのため、枕部２１をカバー部２０の前面側に配置する使用状態と、枕部２１をカバー部２０の後面側で背もたれ部１７の上端側に被せて配置する非使用状態とに変更可能となっている。
【００２６】
枕部２１は、図３（ａ）に示すように、その上下方向の長さが前記カバー部２０に形成された開口部２０ａの上下方向長さ（図３（ｂ）参照）よりも長く、開口部２０ａの下端位置と枕部２１の下端位置とが略同程度に構成されている。そのため、枕部２１にてカバー部２０に形成された開口部２０ａを覆うことができるようになっている。
【００２７】
カバー部２０の前面及び枕部２１の後面には、留め具としての面ファスナ２３，２４が設けられてカバー部２０及び枕部２１の着脱が可能に構成されるとともに、枕部２１の後面はその全体に摩擦抵抗の大きなポリウレタン素材からなるシート部材２５が縫いつけられている。
【００２８】
カバー部２０側の面ファスナ２３は、例えばループタイプの面ファスナ２３であり、枕部２１側の面ファスナ２４よりもその幅方向長さが長くなるように構成されている。また、枕部２１側の面ファスナ２４は、例えばフックタイプの面ファスナ２４であり、カバー部２０側の面ファスナ２３よりも上下方向長さが長くなるとともに、枕部２１の全長の大半を占める長さとなるように構成されている。
【００２９】
上記のように構成されたマッサージ機１０では、図示しない駆動モータによってマッサージ機構１８及び施療子１８ａが駆動され、座部１５に着座した使用者の肩や背中といった腰各施療部位に対し、揉みや擦り、叩き等の各種マッサージを使用者に対して施すようになっている。
【００３０】
また、上記マッサージ機１０において、カバー部２０と枕部２１とがそれらの上端で固定されているため、カバー部２０からの枕部２１の紛失を防止することができる。また、カバー部２０の前面側と枕部２１の後面側とには、留め具としての面ファスナ２３，２４により二部材（カバー部２０及び枕部２１）の着脱が可能となっている。カバー部２０側の面ファスナ２３は、枕部２１側の面ファスナ２４よりもその幅方向長さが長くなるように構成されているため、面ファスナ２３，２４を利用して枕部２１をカバー部２０に取り付ける場合に、枕部２１が幅方向（左右方向）に多少ずれたとしても安定して取り付けることが可能となり、シビアな位置調整を行わずとも枕部２１を使用することができる。
【００３１】
また、枕部２１側の面ファスナ２４は、カバー部２０側の面ファスナ２３よりも上下方向長さが長くなるとともに、枕部２１の全長の大半を占める長さとなるように構成されている。そのため、面ファスナ２３，２４を利用して枕部２１をカバー部２０に取り付ける場合に、面ファスナ２３の任意の位置において面ファスナ２４を固定できるため、枕部２１の上下方向の位置調整を行うことができる。これにより、使用者の体格（座高）に合わせた枕部２１の位置決めを行うことができ、より快適にマッサージ機１０を使用することが可能となる。また、枕部２１の後面にフックタイプの面ファスナ２４を設けたことにより、面ファスナ２４のフック先端側をカバー部２０側に向けることができるため、フックタイプ及びループタイプで構成される面ファスナ２３，２４の内で固いフックタイプ側の先端を施療者の背中や頭部に当たることを防ぐことができる。また、カバー部２０の前面側に面ファスナ２３が設けられていないため、使用者の頭髪との絡みを抑制することができ、使用者に不快感を与えることを抑制できる。
【００３２】
また、枕部２１の後面が摩擦抵抗の大きなポリウレタン素材からなるシート部材２５にて構成されることで、枕部２１及びカバー部２０の対向面同士の摩擦力が高くなり、マッサージ機１０使用中における枕部２１の位置ずれを抑制させることができる。
【００３３】
次に、本実施形態の特徴的な作用効果を記載する。
（１）背もたれ部１７の前面には背もたれ部１７を覆うカバー部２０が設けられるとともに、そのカバー部２０の前面上側には使用者の頭部を支持可能な枕部２１が設けられる。このように、カバー部２０及び枕部２１がそれらの上端で互いに固定されることで、カバー部２０からの枕部２１の紛失を防止することができる。そして、カバー部２０の前面側に枕部２１を配置する使用状態とカバー部２０の後面側に枕部２１を配置する非使用状態とに変更可能に構成されるため、枕部２１の使用する場合と使用しない場合とを比較的容易に変更することができる。
【００３４】
（２）枕部２１及びカバー部２０の対向面である枕部２１の後面及びカバー部２０の前面には、二部材を着脱可能とする留め具としての面ファスナ２３，２４が設けられる。このように、枕部２１及びカバー部２０を面ファスナ２３，２４にて着脱できるため、使用時には枕部２１の位置をより安定して使用することができる。
【００３５】
（３）また、留め具を面ファスナ２３，２４にて簡易に構成でき、また枕部２１及びカバー部２０の着脱を容易とすることができる。
（４）枕部２１は、背もたれ部１７の長手方向に位置調整が可能に構成される。つまり、背もたれ部１７の長手方向である使用者の上下方向に枕部２１が位置調整できるため、使用者の体格（座高）に合わせた枕部２１の位置決めを行うことができる。特に、留め具として面ファスナ２３，２４を使用した場合では、枕部２１及びカバー部２０に設けられる面ファスナ２３，２４の一方（面ファスナ２４）を背もたれ部１７の長手方向（上下方向）に長く構成することで、その長く構成した面ファスナ２４の任意の位置で枕部２１とカバー部２０とを取り付けることが可能となり、簡易な構成にて枕部２１の上下方向の位置（高さ）調整を容易に行うことができる。
【００３６】
（５）枕部２１は、背もたれ部１７の幅方向に位置ずれを許容可能に構成される。このため、背もたれ部１７の幅方向である使用者の左右方向にシビアな位置調整をしなくても枕部２１を使用することができる。特に、留め具として面ファスナ２３，２４を使用した場合では、枕部２１及びカバー部２０に設けられる面ファスナ２３，２４の一方（面ファスナ２３）を背もたれ部１７の幅方向に長く構成することで、その長く構成した面ファスナ２３の任意の位置で枕部２１とカバー部２０とを取り付けることが可能となり、簡易な構成にてシビアな位置調整をしなくても枕部２１を使用することができる。
【００３７】
（６）カバー部２０及び枕部２１の少なくとも一方の対向面が他方の対向面に対して摩擦抵抗が大きくなるように、枕部２１の後面に摩擦抵抗の大きなシート部材２５を使用しているため、使用時には枕部２１の位置をより安定して使用することができる。特に、枕部２１の後面の摩擦抵抗が大きくなるように構成した本実施形態では、カバー部２０前面側は特に摩擦抵抗が大きくなるような加工や材質の使用を避けることができるため、カバー部２０前面の外観品位を維持・向上させることが可能となる。
【００３８】
（７）カバー部２０にはマッサージ機構１８の施療子１８ａの作動範囲に対応した開口部２０ａが設けられ、その開口部２０ａの下端の位置と略同程度の位置に枕部２１の下端が配置可能に構成される。つまり、カバー２０部に施療子１８ａの作動範囲に対応した開口部２０ａを設けることで、揉みや擦り、叩き等の施療子１８ａによる直接的なマッサージを付与することが可能となり、マッサージ機構１８不使用時において、枕部２１にてカバー部２０の開口部２０ａを塞ぐ（覆う）ことでその開口部２０ａに体が落ち込むのを防止することが可能となる。また、開口部２０ａを隠すことで本装置１０としての外観品位を維持、向上させることが可能となる。
【００３９】
尚、本発明の実施形態は、以下のように変更してもよい。
・上記実施形態では、枕部２１の後面を摩擦抵抗の大きなポリウレタン素材からならシート部材２５にて構成したが、これに限らない。例えば、枕部２１の後面の全体ではなく、一部に前記シート部材２５を設ける構成を採用してもよい。また、枕部２１の後面とカバー部２０の前面とにシート部材２５を設ける構成を採用してもよい。また、カバー部２０のみにシート部材２５を設ける構成を採用してもよい。また、シート部材２５を設けなくてもよい。
【００４０】
・上記実施形態では、摩擦抵抗の大きなポリウレタン素材からなるシート部材２５を設けて枕部２１及びカバー部２０の対向面の摩擦力が大きくなるように構成したが、これに限らず、例えば枕部２１及びカバー部２０の対向面を凹凸形状に形成して対向面同士の摩擦力が大きくなるように構成してもよい。
【００４１】
・上記実施形態では、摩擦抵抗の大きさについて言及していないが、使用者の頭部を枕部２１にのせた状態において、頭部の負荷で枕部２１がカバー部２０から滑らなくなる程度の摩擦抵抗があればよく、また、枕部２１の自重によってカバー部２０から滑ることができる程度の摩擦抵抗であれば枕部２１の位置調整を容易に行うことが可能となる。
【００４２】
・上記実施形態では、カバー部２０側の面ファスナ２３を枕部２１側の面ファスナ２４より幅方向（左右方向）に長くなるように構成したが、これに限らず、枕部２１側の面ファスナ２４をカバー部２０側の面ファスナ２３より幅方向（左右方向）に長くなるように構成してもよい。要は、留め具としての面ファスナ２３，２４を利用して枕部２１を固定する場合に、左右方向に位置調整可能に構成して、カバー部２０に対する枕部２１の左右方向のずれを許容可能に構成すればよい。また、カバー部２０側の面ファスナ２３を枕部２１側の面ファスナ２４と同等の幅方向長さに構成してもよい。
【００４３】
・上記実施形態では、枕部２１側の面ファスナ２４をカバー部２０側の面ファスナ２３より背もたれ部１７の長手方向（上下方向）に長くなるように構成したが、これに限らず、カバー部２０側の面ファスナ２３を枕部２１側の面ファスナ２４より長手方向（上下方向）に長くなるように構成してもよい。要は、枕部２１の高さ（上下方向の位置）調整が可能な構成であればよい。また、カバー部２０側の面ファスナ２３を枕部２１側の面ファスナ２４の長手方向（上下方向）長さと同等の長さに構成してもよい。
【００４４】
・上記実施形態では、カバー部２０側の面ファスナ２３をループタイプ、枕部２１側の面ファスナ２４をフックタイプとしたが、カバー部２０側の面ファスナ２３をフックタイプ、枕部２１側の面ファスナ２４をループタイプとしてもよい。また、ループタイプの面ファスナ２３のモヘアタイプとしてもよい。また、両方の面ファスナ２３，２４をループタイプ及びフックタイプの混在するタイプとしてもよい。
【００４５】
・上記実施形態では、面ファスナ２３，２４にて留め具を採用したが、これに限らない。例えば、枕部２１及びカバー部２０のいずれか一方にボタンを設け、他方にそのボタンを掛けることができるボタンホールを設けて留め具を構成してもよい。尚、ボタン及びボタンホール等で留め具を構成する場合、ボタンやボタンホールを複数設けることで、枕部２１の位置調整を行うことが可能となる。
【００４６】
・上記実施形態では、留め具としての面ファスナ２３，２４を設ける構成としたが、設けなくてもよい。
・上記実施形態では、枕部２１の下端位置が開口部２０ａの下端位置と略同程度の位置に配置可能に構成したが、これに限らず、枕部２１の下端位置を更に下方に設定してもよい。このような構成としても、上記実施形態の効果（７）に示した効果と同様の効果を奏することができる。また、開口部２０ａの下端位置よりも枕部２１の下端位置が上方となるような構成であってもよい。
【００４７】
・上記実施形態では、特に言及していないが、背もたれ部１７、座部１５及びオットマン１６の内の少なくとも一部材に、膨縮可能なエアバッグを設けてエアバッグによるマッサージ及びストレッチ効果を付与する構成を採用してもよい。
【００４８】
・上記実施形態では、肘掛け１４及びオットマン１６を設ける構成としたが、肘掛け１４及びオットマン１６の少なくとも一方を省略した構成であってもよい。
【符号の説明】
【００４９】
１０…マッサージ機、１５…座部、１７…背もたれ部、１８…マッサージ機構、１８ａ…施療子、２０…カバー部、２０ａ…開口部、２１…枕部、２３，２４…留め具としての面ファスナ。
【図１】
2010172476.tif 000003
【図２】
2010172476.tif 000004
【図３】
2010172476.tif 000005